(57)【要約】【課題】草地更新などにおける播種作業を、少ない機械、少ない人工、少ない作業時間で行うことができ、また肥料および種子を均一に散布でき、かつその消費量を減らすことができ、さらに種子の発芽、生育を良好にできるようにする。【解決手段】１台の機械により１工程で、肥料と種子を同時に散布し、ローラーにより覆土し鎮圧し、さらにその後を別のローラーにより鎮圧する播種方法と、走行機械に牽引され、走行方向に順次に回動を自在に取り付けられた前ローラー、中ローラーおよび後ローラー、ならびに前ローラーと中ローラーの間に肥料および種子を同時に散布する散布装置を備えた播種機械を提供する。【選択図】図１
2007020506.tif 000002
【特許請求の範囲】
【請求項１】
１台の機械により１工程で、
肥料と種子を同時に散布し、ローラーにより覆土し鎮圧し、さらにその後を別のローラーにより鎮圧する、
ことを特徴とする播種方法。
【請求項２】
肥料および種子を、所定の走行幅内に機械の走行速度に正比例した量で均一に散布する、
ことを特徴とする請求項１記載の播種方法。
【請求項３】
走行機械に昇降動を自在に支持され牽引される播種機械であって、
走行方向に順次に回動を自在に取り付けられ幅方向に略同じ長さで延びた、前ローラー、中ローラーおよび後ローラーと、
前ローラーと中ローラーの間に肥料および種子を同時に散布する散布装置とを備え、
前ローラーにより地面を整地し播種溝を形成し、
中ローラーにより、肥料よび種子を散布した後に覆土し鎮圧し、
後ローラーによりその後の地面をさらに鎮圧する、
ことを特徴とする播種機械。
【請求項４】
散布装置が、
前ローラーおよび中ローラーの延びる方向に、前ローラーおよび中ローラーと略同じ長さを有して並べ設置された肥料箱および種子箱と、
肥料箱および種子箱の下部に設けられ散布する肥料および種子それぞれを計量する計量手段と、
計量された肥料および種子をまとめて地上へ落下させる案内部材と
を備えている、
ことを特徴とする請求項３記載の播種機械。
【請求項５】
前ローラー、中ローラーおよび後ローラーは、接地状態でかつ走行機械が走行状態のときに地上を転動し、
散布装置は、前ローラーの転動に連動し肥料および種子を計量し散布する、
ことを特徴とする請求項４記載の播種機械。
【請求項６】
計量手段は、
肥料箱および種子箱それぞれの延びる方向に延び、前ローラーにより回転駆動される肥料計量軸および種子計量軸を備え、
肥料計量軸は、
軸線方向に所定の間隔で取り付けられた複数個の所定の幅を有した羽根車を備え、
羽根車に対応し肥料箱に設けられた開口から羽根車の羽根と羽根の間に肥料が落下する、
ことを特徴とする請求項４または５記載の播種機械。
【請求項７】
肥料箱が、走行機械の走行方向において種子箱の前側に設置されている、
ことを特徴とする請求項４から５までのいずれかに記載の播種機械。
【請求項８】
中ローラーおよび後ローラーは、それぞれ上下方向に揺動を自在に取り付けられている、
ことを特徴とする請求項３から７までのいずれかに記載の播種機械。
【発明の詳細な説明】
【技術分野】
【０００１】
本発明は、草地の更新などに好適な播種方法およびその機械に関する。
【背景技術】
【０００２】
例えば、トラクターの走行によって踏み固められ、酸性度が低下し、雑草の増えた牧草地を、牧草がよりよく発芽、生育できるようにするために、草地の更新が行われる。比較的広大なこの草地の更新作業は、概ね次の工程によって行われる。
【０００３】
種まき前に種々の機械によって草地を整備する。すなわち、プラウ耕起を行い、ディスクハローにより砕土整地を行い、石灰質資材をライムソワーで投入し、ローラーによって鎮圧する。
【０００４】
その後、ブロードキャスターによって施肥・播種を行い、再度ローラーによって鎮圧を行う。
【発明の開示】
【発明が解決しようとする課題】
【０００５】
上述したとおり、草地の更新は多くの工程を必要とする作業であり、特に播種作業には関連して次のとおりの改善すべき課題がある。
【０００６】
（１）多くの機械・人工・作業時間が必要：
播種作業は、雨、風、気温など天候の影響を受けるので、限られた時間内に、肥料散布、種子散布、そして鎮圧の３つの作業を迅速に行なう必要がある。したがって播種作業は、多くの作業機械を投入し種々の作業装置を交換装備し集中して行われるので、多くの機械・人工・作業時間が必要になる。
【０００７】
（２）肥料および種子のムラ：
周知のブロードキャスターによる肥料および種子の散布は、正確な散布量と均一な散布が難しくムラが多くなる。したがって、肥料および種子の消費量が増え、また肥料と種子が均一に散布されにくく覆土されないので発芽、生育にムラができやすい。
【０００８】
（３）発芽、生育の不良：
散布した肥料および種子が適切に地面に押さえられ鎮圧されないと、また覆土されないと、地表温度の上昇による水分の不足、飛散などによって、発芽そして生育の不良が発生しやすい。
【０００９】
本発明は上記事実に鑑みてなされたもので、その技術的課題は、草地更新などにおける播種作業を、少ない機械、少ない人工、少ない作業時間で行うことができ、また肥料および種子を均一に散布でき、かつその消費量を減らすことができ、さらに種子の発芽、生育を良好にすることができる、播種方法およびその機械を提供することである。
【課題を解決するための手段】
【００１０】
本発明者は鋭意検討および実験を重ねた結果、草地更新などにおける播種作業を、１台の機械により、１工程で行うことができ、肥料および種子を均一に散布でき、その消費量を減らすことができ、さらに種子の発芽、生育を良好にすることができる、播種方法およびその機械を開発した。
【００１１】
すなわち、本発明による播種方法は、１台の機械により１工程で、肥料と種子を同時に散布し、ローラーにより覆土し鎮圧し、さらにその後を別のローラーにより鎮圧する。
【００１２】
好適には、肥料および種子を、所定の走行幅内に機械の走行速度に正比例した量で均一に散布する。
【００１３】
本発明による播種機械は、走行機械に昇降動を自在に支持され牽引され、走行方向に順次に回動を自在に取り付けられ幅方向に略同じ長さで延びた、前ローラー、中ローラーおよび後ローラーと、前ローラーと中ローラーの間に肥料および種子を同時に散布する散布装置とを備え、前ローラーにより地面を整地し播種溝を形成し、中ローラーにより、肥料および種子を散布した後に覆土し鎮圧し、後ローラーによりその後の地面をさらに鎮圧する。
【００１４】
好適には、散布装置は、前ローラーおよび中ローラーの延びる方向に、前ローラーおよび中ローラーと略同じ長さを有して並べ設置された肥料箱および種子箱と、肥料箱および種子箱の下部に設けられ散布する肥料および種子それぞれを計量する計量手段と、計量された肥料および種子をまとめて地上へ落下させる案内部材とを備えている。また、前ローラー、中ローラーおよび後ローラーは、接地状態でかつ走行機械が走行状態のときに地上を転動し、散布装置は、前ローラーの転動に連動し肥料および種子を計量し散布する。
【００１５】
さらに、計量手段は、肥料箱および種子箱それぞれの延びる方向に延び、前ローラーにより回転駆動される肥料計量軸および種子計量軸を備え、肥料計量軸は、軸線方向に所定の間隔で取り付けられた複数個の所定の幅を有した羽根車を備え、羽根車に対応し肥料箱に設けられた開口から羽根車の羽根と羽根の間に肥料が落下する。また、肥料箱は、走行機械の走行方向において種子箱の前側に設置されている。さらに、中ローラーおよび後ローラーは、それぞれ上下方向に揺動を自在に取り付けられている。
【発明の効果】
【００１６】
本発明に従って構成された播種方法および播種機械によれば、１台の播種機械により１工程で、肥料と種子を同時に前ローラーと中ローラーの間に散布し、中ローラーで覆土し鎮圧し、さらにその後を後ローラーによって鎮圧する。したがって播種作業を、１台の機械１工程で行うので、少ない機械、少ない人工、少ない作業時間で行うことができる。また肥料および種子を一対のローラーの間に同時に散布し、覆土し、鎮圧し、さらに鎮圧するので、肥料および種子を均一に散布でき、肥料および種子の損失を減らすことができ、さらに種子の発芽、生育を良好にすることができる。
【発明を実施するための最良の形態】
【００１７】
以下、本発明に従って構成された播種方法および播種機械について、好適実施形態を図示している添付図面を参照して、さらに詳細に説明する。
【００１８】
図１および図２を参照して説明する。全体を番号２で示す播種機械は、走行方向（図１の左方向）に順次に回動を自在に取り付けられ幅方向（図２の左右方向）に略一杯に略同じ長さで延びた、前ローラー４、中ローラー６および後ローラー８と、前ローラー４と中ローラー６の間に肥料および種子を散布する散布装置１０を備えている。
【００１９】
播種機械２は、走行機械にとしての例えば履帯式のトラクター１２に、三点ヒッチ１４によって昇降動を自在に支持され牽引される。
【００２０】
前ローラー４、中ローラー６および後ローラー８は、円筒状に形成され、外径が中ローラー６、前ローラー４、後ローラー８の順に大きくなっている。これらのローラーの細部形状は、本発明の新規特徴を構成するものではないので、その詳細な説明は省略するが、図示の典型的なローラーは、複数個の回動自在な転輪を軸線方向に並べて形成され、個々の転輪は環状の鍔部を有して、それぞれの鍔部には周方向に凸凹状に歯が形成されている、いわゆるケンブリッジローラーとして周知のものである。
【００２１】
前ローラー４は、その軸線Ｘ１方向の両端がそれぞれ機体フレーム１６に、軸線Ｘ１を中心に回動を自在に取り付けられている。
【００２２】
中ローラー６は、機体フレーム１６の上記軸線Ｘ１の上方に位置した一端を中心に、揺動自在に取り付けられた左右一対のレバー１８，１８の他端それぞれに、軸線Ｘ２を中心に回動を自在に取り付けられている。
【００２３】
後ローラー８は、機体フレーム１６の軸線Ｘ１のさらに上方に位置した一端を中心に揺動自在に取り付けられ中ローラー６よりも後方に伸びた左右一対のレバー２０，２０の他端に、一体に差し渡された横フレーム２２から下方に延びた２個のブラケット２４、２４（図２）に、軸線Ｘ３を中心に回動を自在に取り付けられている。
【００２４】
したがって、中ローラー６および後ローラー８は、それぞれ機体フレーム１６に対して上下方向に揺動を自在に取り付けられており、各ローラーは、接地状態（図１、図２に示す状態）で、かつトラクター１２が走行状態のときに地上を転動する。
【００２５】
前ローラー４、中ローラー６および後ローラー８の機能について説明する。
【００２６】
前ローラー４は、荒い土を砕き、地面を押さえ鎮圧し、環状の鍔部および外周の凸凹歯によって縦溝を形成し播種床を用意する。
【００２７】
中ローラー６は、散布された肥料および種子に覆土し、地面を押さえ鎮圧する。
【００２８】
後ローラー８は、肥料および種子をさらに地面に押さえつけ、肥料および種子がより安定した状態に保持されるようにする。
【００２９】
機体フレーム１６の左右幅方向の片側（図１の手前側、図２の左側）には、散布装置１０を駆動する駆動箱２６が備えられている。
【００３０】
図１、図２とともに図３を参照して散布装置１０について説明する。散布装置１０は、前ローラー４および中ローラー６の上方に、機体フレーム１６に取り付けられ設置されている。散布装置１０は、前ローラー４および中ローラー６の延びる方向（図２の左右方向）に、前ローラー４および中ローラー６と略同じ長さを有して並べ設置された肥料箱２８および種子箱３０と、肥料箱２８および種子箱３０の下部に設けられ散布する肥料および種子それぞれを計量する計量手段３２と、計量された肥料および種子をまとめて地上へ落とす案内部材３４を備えている。肥料箱２８は、トラクター１２の走行方向において種子箱３０の前側に設置されている。
【００３１】
肥料箱２８および種子箱３０は、略直方体状の容器に形成され、上端部にはそれぞれ肥料および種子を投入するための開閉自在な蓋２８ａ、３０ａが取り付けられている。下部は一面側を徐々に傾斜させ狭く形成されている。それぞれの下端には肥料および種子をそれぞれ排出する複数個の開口２８ｂ、３０ｂが形成されている。通常、肥料は種子に比べ嵩が大きいので、肥料箱２８は種子箱３０に比べ大容量に上部を上方に延ばし形成されている。
【００３２】
図３とともにその部分拡大詳細図である図４を参照して説明する。計量手段３２は、肥料箱２８および種子箱３０それぞれの下端の開口２８ｂ、３０ｂの下方に位置して、肥料箱２８および種子箱３０の延びる方向（図３の紙面に垂直の方向）に延び、前ローラー４によって回転駆動される肥料計量軸３６および種子計量軸３８を備えている。
【００３３】
肥料計量軸３６は、その軸線Ｘ６の延びる方向に所定の幅を有し所定の間隔で取り付けられた複数個の羽根車３７を備えている。羽根車３７は、軸線Ｘ６方向に間隔をおいて取り付けられた一対の円板３７ａ、３７ａの間に軸線Ｘ６を中心に放射状に等間隔で延びた複数個（図示は８個）の羽根３７ｂを備えている。
【００３４】
肥料箱２８の開口２８ｂは複数個の羽根車３７に対応して軸線Ｘ６方向に複数個形成されている。肥料箱２８内の肥料は、肥料計量軸３６の回転（矢印で示す）に応じて開口２８ｂから羽根車３７の、一対の円板３７ａと一対の羽根３７ｂの間に順次落下する。
【００３５】
種子計量軸３８についての詳細図示は省略するが、種子は一般的に肥料に比べ嵩が小さくまた小粒であるので、種子計量軸３８には肥料計量軸３６のように羽根車を形成することなく、軸の外周に軸線方向に延びる所定長さの溝を設けて形成される。
【００３６】
駆動箱２６内には、肥料計量軸３６および種子計量軸３８を回転駆動するためのスプロケットおよびチェーンからなる駆動手段が備えられている。図３においては、図が煩雑になるのを避けて、スプロケットおよびチェーンは簡略的に二点鎖線によって円およびそれらを結ぶ直線により示されている。
【００３７】
前ローラー４にはその軸線Ｘ１上に前ローラー４と一体になって回動する第１スプロケットＳ１が取り付けられている。軸線Ｘ１の斜め前上方には軸線Ｘ４上に大小の第２スプロケットＳ２および第３スプロケットＳ３が一体に取り付けられている。肥料箱２８の底部を貫通する軸線Ｘ５上には第４スプロケットＳ４が取り付けられている。肥料計量軸３６にはその軸線Ｘ６上に第５スプロケットＳ５が一体に取り付けられている。種子計量軸３８にはその軸線Ｘ７上に第６スプロケットＳ６が一体に取り付けられている。さらに第６スプロケットＳ６の斜め後上方には軸線Ｘ８上にチェーン張り用の第７スプロケットＳ７が取り付けられている。
【００３８】
チェーンＣ１が第１スプロケットＳ１と第２スプロケットＳ２の間に掛け回されている。別の１本のチェーンＣ２が、第３スプロケットＳ３からスプロケットＳ４、Ｓ５、Ｓ６、Ｓ７を順次通して掛け回されている。
【００３９】
したがって、肥料計量軸３６および種子計量軸３８は、チェーンＣ１、Ｃ２そしてスプロケットＳ１〜Ｓ７によって、前ローラー４の回動により回転駆動される。各スプロケットの歯数を適宜に設定することにより、トラクター１２の走行による前ローラー４の転動に連動して、トラクター１２の走行速度に正比例した所望の量の肥料および種子が計量される。
【００４０】
軸線Ｘ５上には、スプロケットＳ４と一体に肥料攪拌軸４０が取り付けられている。肥料攪拌軸４０は、軸線Ｘ５上に位置した中心軸４０ａに取り付けられた円板４０ｂを介して周方向に等間隔で複数個（図示は６個）の攪拌棒４０ｃが取り付けられている。
【００４１】
計量された肥料および種子をまとめて地上に案内する案内部材３４は、肥料箱２８および種子箱３０、計量手段３２の下方に取り付けられている。案内部材３４は、肥料箱２８および種子箱３０の延びる方向に実質上同じ長さに延び対向した一対の傾斜板３４ａ、３４ｂを下方になるにつれて間隔を狭めて形成されている。したがって、計量された肥料および種子は、図３に白抜きの矢印で示すように、前ローラー４と中ローラー６の間の、所定の走行幅内に散布される。
【００４２】
図１、図２に戻って説明すると、播種機械２は、機体フレーム１６の前側中央部分に連結フレーム１７を備え、この連結フレーム１７によってトラクター１２の三点ヒッチ１４に取り付けられている。
【００４３】
次に本発明による播種方法について説明する。図１に示すように、走行機械であるトラクター１２の三点ヒッチ１４に連結された播種機械２を地上に降ろした状態でトラクター１２を走行させると、走行に応じて前ローラー４、中ローラー６および後ローラー８が転動するとともに、図３に示すように前ローラー４の回動により肥料計量軸３６および種子計量軸３８が駆動され、肥料箱２８の肥料および種子箱３０の種子が計量され、前ローラー４と中ローラー６の間に案内部材３４に案内されて落下し、散布される。そして、肥料と種子が散布された地面は、中ローラー６によって覆土、鎮圧され、さらに後ローラー８（図１）によって鎮圧される。
【００４４】
上述した播種方法および播種機械２の効果について説明する。
【００４５】
播種機械２によれば、１台の播種機械２の１回の走行の１工程で、肥料と種子を同時に前ローラー４と中ローラー６の間に散布し、中ローラー６で覆土、鎮圧し、さらにその後を後ローラー８によって鎮圧するので、播種作業を、少ない機械、少ない人工、少ない作業時間で行うことができる。また、肥料および種子を同時に所定の走行幅内に走行速度に応じて散布するので、肥料および種子をムダなく均一に散布でき、その損失を減らすことができ、さらに散布した後の鎮圧の後を再度鎮圧するので、種子の発芽、生育を良好にすることができる。
【００４６】
散布装置１０は、肥料および種子を前ローラー４の転動に連動して、すなわち播種機械２の走行速度に正比例した量で散布する、すなわち速度が速いときには多く遅いときには少なく散布するので、所定の密度で肥料および種子を、走行速度に影響されることなく散布できる。
【００４７】
計量手段３２の肥料計量軸３６は羽根車３７を備えているので、比較的嵩のある肥料を適切に計量し散布することができる。
【００４８】
肥料箱２８は、種子箱３０の走行機械１２走行方向の前側、すなわち走行機械１２に近づけて設置されているので、大きな重量となる肥料箱２８の走行機械１２からのオーバーハングを小さくでき、走行機械１２による播種機械２の昇降動を迅速に、容易に行なうことができる。あるいはまた、播種機械２を持ち上げる力が小さい比較的小型の走行機械に取り付けることができる。
【００４９】
中ローラー６および後ローラー８はそれぞれ上下方向に揺動を自在に取り付けられているので、地形の凹凸に合わせて追従し、良好な鎮圧を行うことができる。
【００５０】
以上、本発明を実施例に基づいて詳細に説明したが、本発明は上記の実施例に限定されるものではなく、例えば下記のように、本発明の範囲内においてさまざまな変形あるいは修正ができるものである。
【００５１】
本実施例においては、前ローラー４、中ローラー６および後ローラー８は、ローラーの表面に凸凹状の歯を有した環状の鍔部を備えているが、ローラーの形状は、肥料、種子の種類、また地面を含めたそれらの状態などに応じて、適宜の形状にしてもよい。
【００５２】
本実施例においては、肥料箱２８および種子箱３０の肥料および種子を排出する開口２８ｂ、３０ｂは、その大きさが固定されているが、その大きさを大きくあるいは小さく調整できるように、例えば手動操作あるいはマイコン制御による調整板を備えてもよい。
【図面の簡単な説明】
【００５３】
【図１】本発明に従って構成された播種機械を左前上方から見た斜視図。
【図２】図１の播種機械を後方から見た斜視図。
【図３】播種装置の説明図。
【図４】（ａ）は図３の肥料の計量手段の部分を中心に示した拡大詳細断面図。（ｂ）は（ａ）のＡ−Ａ矢印方向に見た断面図。
【符号の説明】
【００５４】
２：播種機械
４：前ローラー
６：中ローラー
８：後ローラー
１０：散布装置
１２：トラクター（走行機械）
２８：肥料箱
２８ｂ：開口
３０：種子箱
３２：計量手段
３４：案内部材
３６：肥料計量軸
３７：羽根車
３７ｂ：羽根
３８：種子計量軸
【図１】
2007020506.tif 000003
【図２】
2007020506.tif 000004
【図３】
2007020506.tif 000005
【図４】
2007020506.tif 000006